(57)【要約】【課題】  アンテナの破損を未然に防止し、かつユーティリティを介して設定するという煩雑な操作を要することなく、インターネットの接続または切断を行うことができる。【解決手段】  携帯端末装置に対して着脱可能とする無線通信を行うための無線通信端末の通信に関して、回動機構を有する回動可能なアンテナと、アンテナを固定可能なアンテナ固定部を備える無線通信端末が、アンテナ固定部がアンテナを固定しているか否かを判別し、判別された判別結果に応じて、無線通信のうちインターネットを接続する、または切断するかを決定するものである。【選択図】          図３
2011010099.tif 000002
【特許請求の範囲】
【請求項１】
携帯端末装置に対して着脱可能とする無線通信を行うための無線通信端末において、
回動機構を有する回動可能なアンテナと、
前記アンテナを固定可能なアンテナ固定部と、
前記アンテナ固定部が前記アンテナを固定しているか否かを判別する判別部と、
前記判別部の判別結果に応じて、前記無線通信のうちインターネットを接続する、または切断するかを決定する通信決定部を備えることを特徴とする無線通信端末。
【請求項２】
前記アンテナは、前記回動機構とは反対方向であるアンテナの端部に突起部を有するものであって、
前記アンテナ固定部は、前記突起部を嵌め込むことにより、前記アンテナを固定することを特徴とする請求項１に記載の無線通信端末。
【請求項３】
前記アンテナ固定部は、凹型であって、前記突起部を嵌め込むことにより、前記アンテナを固定することを特徴とする請求項２に記載の無線通信端末。
【請求項４】
前記判別部は、前記アンテナ固定部に、前記アンテナが固定された状態であるか否かを判別するものであり、
前記通信決定部は、前記判別部が固定された状態であるとの結果により、前記インターネットを切断するものであることを特徴とする請求項２または３に記載の無線通信端末。
【請求項５】
前記判別部は、前記アンテナ固定部に、前記アンテナが固定された状態であるか否かを判別するものであり、
前記通信決定部は、前記判別部が完全に固定された状態で無いとの結果により、前記インターネットを接続開始または通信継続するものであることを特徴とする請求項２または３に記載の無線通信端末。
【請求項６】
請求項１から５いずれかに記載の無線通信端末と、
前記無線通信端末の前記通信決定部により決定されたインターネットを接続する、または切断するかの情報を受信することにより、画面上にインターネットを接続する、または切断する旨を表示する携帯端末装置とから構成されることを特徴とする無線通信システム。
【請求項７】
携帯端末装置に対して着脱可能とする無線通信を行うための無線通信端末の無線通信方法において、
回動機構を有する回動可能なアンテナと、該アンテナを固定可能なアンテナ固定部を備える前記無線通信端末が、
前記アンテナ固定部がアンテナを固定しているか否かを判別し、
前記判別された判別結果に応じて、前記無線通信のうちインターネットを接続する、または切断するかを決定することを特徴とする無線通信方法。
【請求項８】
携帯端末装置に対して着脱可能とする無線通信を行うための無線通信端末の無線通信プログラムにおいて、
回動機構を有する回動可能なアンテナと、該アンテナを固定可能なアンテナ固定部を備える前記無線通信端末に、
前記アンテナ固定部がアンテナを固定しているか否かを判別する機能と、
前記判別された判別結果に応じて、前記無線通信のうちインターネットを接続する、または切断するかを決定する機能を実現させることを特徴とする無線通信プログラム。
【発明の詳細な説明】
【技術分野】
【０００１】
本発明は無線通信端末、無線通信システム、無線通信方法および無線通信プログラムに関し、特に無線通信を接続する、または切断するかを決定するための無線通信端末、無線通信システム、無線通信方法および無線通信プログラムに関するものである。
【背景技術】
【０００２】
従来、パーソナルコンピュータ、ＰＤＡ（Personal Digital Assistant）、デジタルカメラ、携帯電話機等の携帯端末装置に対して、無線通信機能を付加すべく、携帯端末装置にカードタイプの無線通信端末が装着されている。具体的には、無線ＬＡＮカード、ＧＰＳカード、ＰＨＳカード及びＢｌｕｅｔｏｏｔｈカード等が挙げられる。
近年、上述した携帯端末装置と無線通信端末が別体の方式ではなく、通信機能を備えた携帯端末装置において、通信機能禁止状態を無線部の電源供給をＯＦＦするだけでなく、アンテナの頭部を携帯端末装置本体の中に押し込んで、アンテナをロックすることで、電波を送受信するためのアンテナが見えなくなり、視覚的に電波を使用できない状態であることを周囲に認識させる携帯電話装置が、特許文献１に提案されている。
【０００３】
また、無線通信端末のアンテナの移動範囲を所望の方向へ広く設定できるとともに、アンテナの収納時に無理な負荷が作用することを防止するアンテナの回動機構に関するＰＣカードが、特許文献２に提案されている。
【０００４】
また、無線通信端末のアンテナが不用意に倒れないように、最適なアンテナ状態で携帯端末装置を使用できるように、アンテナを保持する携帯通信端末用アンテナが、特許文献３に提案されている。
【先行技術文献】
【特許文献】
【０００５】
【特許文献１】特開２００２−２５２６９６号公報
【特許文献２】特開２００２−３２９１８２号公報
【特許文献３】特開２００４−１２８９７８号公報
【発明の概要】
【発明が解決しようとする課題】
【０００６】
しかしながら、特許文献１に記載されたアンテナの頭部を携帯端末装置本体の中に押し込んで、アンテナをロックし、無線部の電源供給をＯＦＦする技術はあるが、携帯端末装置と、アンテナ機能を有する無線通信端末とが別体である方式においては、当該携帯端末装置及び当該無線通信端末それぞれを製造する業者が異なることがあるため、無線通信端末のアンテナを携帯端末装置に押し込むような構成を採用することは難しい。また、特許文献１に記載された携帯端末装置は、無線部の電源供給をＯＦＦするため、全ての通信機能が切断されるという問題がある。
【０００７】
また、特許文献２及び３に記載された無線通信端末のアンテナにおいては、無線通信端末を装着された携帯端末装置をカバン等に入れてしまう際、アンテナがロックされていないとカバンの中でアンテナに負荷がかかり、破損を起こす可能性がある。また、特許文献２および３に記載された無線通信端末を装着した一般的な携帯端末装置は、インターネットの接続または切断することの設定を携帯端末装置の画像を確認しながら、ユーティリティを介して設定するという煩雑な操作を要求されるという問題がある。
【０００８】
そこで、本発明は、上記事情に鑑み、無線通信端末のアンテナをロックし、インターネットの接続、また切断を決定する無線通信端末、無線通信システム、無線通信方法および無線通信プログラムを提供することを目的とするものである。
【課題を解決するための手段】
【０００９】
本発明による無線通信端末、無線通信システム、無線通信方法および無線通信プログラムは、次のような特徴的な構成を採用している。下記（１）及び（７）なる番号は請求項の項番号にそれぞれ対応している。
（１）携帯端末装置に対して着脱可能とする無線通信を行うための無線通信端末において、
回動機構を有する回動可能なアンテナと、
前記アンテナを固定可能なアンテナ固定部と、
前記アンテナ固定部が前記アンテナを固定しているか否かを判別する判別部と、
前記判別部の判別結果に応じて、前記無線通信のうちインターネットを接続する、または切断するかを決定する通信決定部を備えた無線通信端末。
（７）携帯端末装置に対して着脱可能とする無線通信を行うための無線通信端末の無線通信方法において、
回動機構を有する回動可能なアンテナと、該アンテナを固定可能なアンテナ固定部を備える前記無線通信端末が、
前記アンテナ固定部がアンテナを固定しているか否かを判別し、
前記判別された判別結果に応じて、前記無線通信のうちインターネットを接続する、または切断するかを決定する無線通信方法。
【００１０】
「アンテナ固定部」とはアンテナを開閉できる携帯端末装置のアンテナを閉じるように固定するものをいう。例えば、凹型であって、アンテナの凸型の突起部を嵌め込むことにより、アンテナを固定するものであってもよい。
【００１１】
また、本発明の無線通信端末においては、回動機構とは反対方向であるアンテナの端部に突起部を有するものであって、アンテナ固定部は、突起部を嵌め込むことにより、アンテナを固定することを特徴とするものであってもよい。
【００１２】
また、本発明の無線通信端末においては、判別部は、アンテナ固定部に、アンテナが固定された状態であるか否かを判別するものであり、通信決定部は、判別部が固定された状態であるとの結果により、インターネットを切断するものであってもよい。
【００１３】
また、本発明の無線通信端末においては、判別部は、アンテナ固定部に、アンテナが固定された状態であるか否かを判別するものであり、通信決定部は、判別部が完全に固定された状態で無いとの結果により、画面上にインターネットを接続開始または通信継続する旨を表示するものであってもよい。
【００１４】
本発明の無線通信システムは、本発明の無線通信端末と、当該無線通信端末の通信決定部により決定されたインターネットを接続する、または切断するかの情報を受信することにより、インターネットを接続する、または切断することを実行する携帯端末装置とから構成されることを特徴とするものである。
【００１５】
本発明の無線通信方法は、携帯端末装置に対して着脱可能とする無線通信を行うための無線通信端末の通信方法において、回動機構を有する回動可能なアンテナと、アンテナを固定可能なアンテナ固定部を備える無線通信端末が、アンテナ固定部がアンテナを固定しているか否かを判別し、判別された判別結果に応じて、無線通信のうちインターネットを接続する、または切断するかを決定することを特徴とする。
【００１６】
本発明の無線通信プログラムは、携帯端末装置に対して着脱可能とする無線通信を行うための無線通信端末の通信プログラムにおいて、回動機構を有する回動可能なアンテナと、アンテナを固定可能なアンテナ固定部を備える無線通信端末に、アンテナ固定部がアンテナを固定しているか否かを判別する機能と、判別された判別結果に応じて、無線通信のうちインターネットを接続する、または切断するかを決定する機能を実現させることを特徴とするものである。
【発明の効果】
【００１７】
本発明の無線通信端末、無線通信システム、無線通信方法及び無線通信プログラムによれば、アンテナ固定部がアンテナを固定しているか否かを判別し、判別された判別結果に応じて、無線通信のうちインターネットを接続する、または切断するかを決定することにより、アンテナの破損を未然に防止し、かつユーティリティを介して設定するという煩雑な操作を要することなく、インターネットの接続または切断を行うことができる。
【図面の簡単な説明】
【００１８】
【図１】本発明の実施形態における無線通信システムを表す説明図である。
【図２】本発明の実施形態における無線通信端末のアンテナ付近を表す説明図である。
【図３】本発明の実施形態における無線通信端末の構成を表すブロック図である。
【図４】本発明の実施形態におけるインターネット接続を行う手順を示したフローチャートである。
【図５】本発明の実施形態におけるインターネット切断を行う手順を示したフローチャートである。
【発明を実施するための形態】
【００１９】
以下、本発明の実施の形態について、図面を参照しながら説明する。
図１は、本発明の実施形態における無線通信システムを表す図であって、図２は無線通信端末１０２のアンテナ１０３付近を表す図である。
【００２０】
図１、２に示す無線通信端末１０２は、携帯端末装置１０１に対して着脱可能とする無線通信を行うためのものであって、回動機構を有する回動可能なアンテナ１０３と、アンテナ１０３を固定可能なアンテナ固定部１０４と、アンテナ固定部１０４がアンテナ１０３を固定しているか否かを判別する判別部２０５と、判別部２０５の判別結果に応じて、無線通信のうちインターネットを接続する、または切断するかを決定する通信決定部２０６を備えたものである。
【００２１】
以下、本発明の実施形態では、携帯端末装置１０１はノートパソコンとして説明するが、携帯端末装置は、その他のパーソナルコンピュータ、ＰＤＡ（Personal Digital Assistant）、デジタルカメラ、携帯電話機等であってもよい。無線通信端末１０２は、カードタイプの携帯型無線通信端末であって、携帯端末装置（ノートパソコン）１０１に挿入することで電源供給を受けることができるものである。例えば、無線通信端末１０２は、ＰＣカード、ＣＦカード、Ｅｘｐｒｅｓｓカード、ＵＳＢ型のアンテナ機構を備えたカード、無線ＬＡＮカード、ＧＰＳカード、ＰＨＳカード及びＢｌｕｅｔｏｏｔｈカードが挙げられる。  アンテナ１０３は、携帯型無線通信端末における電波を送信または受信するものであって、一端に回動機構を設け、この回動機構を軸にアンテナを回動することができるものである。突起部１０５は、アンテナの回動機構とは逆の端部に設けられた凸型の機構からなるものである。
【００２２】
アンテナ固定部１０４は、アンテナを固定するための機能（以下、アンテナロックという）を備え、更にスイッチを設けＯＮ／ＯＦＦによりアンテナロックの切り替えを可能とするものである。このアンテナを固定するための機能とは、後述するアンテナ１０３が回動できないように固定する構造を備えるものであり、また電気制御によりアンテナが回動できないようにアンテナ１０３の回動機構を制御するものであってもよい。
【００２３】
このアンテナ固定部１０４は、アンテナ１０３が閉じている際に、スイッチをＯＦＦにするとアンテナは開かない機構となっている。アンテナを開く場合は、スイッチをＯＮにすることで、アンテナロックが解除され、アンテナが回動可能となる機構となっている。このスイッチは、無線通信機能のうちのインターネットの接続、または切断する機能と連動可能とするものである。このアンテナ固定部１０４は、凹型であって、アンテナ１０３の突起部１０５を嵌め込むことにより、アンテナ１０３を固定するものである。
【００２４】
図３は、本発明の実施形態における無線通信端末１０２の構成を表すブロック図である。
【００２５】
アンテナスイッチ２０２は、アンテナ固定部１０４のスイッチのＯＮ／ＯＦＦを検知するものである。制御部２０３は、判別部２０５と、通信決定部２０６を備えたものである。判別部２０５は、アンテナスイッチ２０２の検知したアンテナロックがＯＮ／ＯＦＦかの情報に基づき、アンテナ固定部１０４に、突起部１０５が固定された状態であるか否かを判別するものである。通信決定部２０６は、判別部２０５が固定された状態であるとの結果により、無線通信のうちインターネットの通信接続の開始、インターネットの通信接続の継続、又はインターネットの通信接続の切断を決定するものである。なお、本実施例は、通信決定部２０６は、インターネットを例として説明しているが、インターネット以外の無線通信であってもよく、例えば電話機能やその他の通信機能の通信接続の開始、通信接続の継続、又は通信接続の切断を決定するものであってもよい。
【００２６】
送信部２０１は、通信決定部２０６により決定されたインターネットを通信接続の開始、通信接続の継続、通信接続の切断のいずれかの結果情報を携帯端末装置１０１に送信するものである。
【００２７】
次いで本発明の実施形態における無線通信のうちのインターネット接続を行うまでの手順について説明する。図４は、無線通信端末１０２が、インターネット接続を行う手順を示したフローチャートである。
【００２８】
第一に、ユーザが無線通信端末１０２を携帯端末装置１０１（ノートパソコン）に挿入し、ノートパソコンの電源を入れる（Ｓ３０１）。次いで、判別部２０５は、アンテナ固定部１０４のアンテナロックのスイッチがＯＦＦ（Ｓ３０２）になったことを、アンテナスイッチ２０２を介して、検知することにより認識（判別）し、無線部２０４にインターネット接続を開始するように接続命令を出す（Ｓ３０３）。なお、判別部２０５は、既にインターネット接続が開始されている場合は、インターネット接続を継続するように接続命令を出してもよい。
【００２９】
無線部２０４が、インターネット接続を開始または継続する（Ｓ３０４）。送信部２０１は、インターネット接続を行っている旨の情報をノートパソコンに送信する。ノートパソコンは、インターネットに接続を行っている旨を画面上に表示し、ユーザに対して通知する（Ｓ３０５）。ユーザは、ブラウザやメーラーを使用することにより、インターネット機能を実行する。
【００３０】
最後に、本発明の実施形態における無線通信のうちのインターネット切断を行うまでの手順について説明する。図４は、無線通信端末１０２が、インターネット切断を行う手順を示したフローチャートである。
【００３１】
まず、ユーザが無線通信端末１０２を携帯端末装置１０１（ノートパソコン）に挿入し、ノートパソコンの電源を入れる。次いで、判別部２０５は、アンテナ固定部１０４のアンテナロックのスイッチがＯＮ（Ｓ３０６）になったことを、アンテナスイッチ２０２を介して、検知することにより認識（判別）する。更に判別部２０５は、アンテナがしっかり納まっているかを認識（判別）する。アンテナロックにアンテナがしっかり納まっていない場合（Ｓ３０７；ＮＯ）、スイッチはＯＮになっていても処理は実行されない仕組みとなっている（Ｓ３０８）。例えば、突起部１０５とアンテナ固定部１０４が、しっかり嵌め込まれ、それぞれが接触しているかを判別できるセンサーを設け、そのセンサーによる接触結果が判別部２０５に送信されるようなシステム、若しくはアンテナ１０３の回動機構に設けられたアンテナの角度を検知する機構からアンテナ１０３が水平に納まるべき角度であるか否かを検知し、その回動機構による角度結果が判別部２０５に送信されるようなシステムであってもよい。
【００３２】
更に、アンテナ固定部１０４がアンテナ１０３の開閉を検知することにより、アンテナロックのＯＮ／ＯＦＦスイッチが切り替わるものであってもよい。アンテナロックにアンテナがしっかり納まっている場合（Ｓ３０７；ＹＥＳ）、制御部２０３のうち判別部２０５が、アンテナロックのＯＮを認識（判別）し、無線部２０４にインターネット接続を切断するように切断命令を出す（Ｓ３０９）。無線部２０４が、インターネット接続を切断する（Ｓ３１０）。送信部２０１は、インターネット切断した旨の情報をノートパソコンに送信する。ノートパソコンは、インターネットを切断した旨を画面上に表示し、ユーザに対して通知する（Ｓ３１１）。
【００３３】
以上により、本発明の実施形態によれば、無線通信端末１０２が、アンテナ固定部１０４がアンテナ１０３を固定しているか否かを判別し、判別された判別結果に応じて、無線通信のうちインターネットを接続する、または切断するかを決定することにより、アンテナの破損を未然に防止し、かつユーティリティを介して設定するという煩雑な操作を要することなく、インターネットの接続または切断を行うことができる。
【００３４】
本発明の実施形態である無線通信端末１０２であれば、アンテナロックのスイッチを付けたことにより、携帯端末装置１０１を鞄などにしまった場合であっても、アンテナが固定され、アンテナ破損する負荷がかかりにくくなる。
【００３５】
また、本発明の実施形態である無線通信端末１０２であれば、インターネット網接続への作業性が向上し、パソコン上のユーティリティなどでの操作する必要なくアンテナのロックスイッチのＯＮ／ＯＦＦで接続できる。
【００３６】
以上、本発明による無線通信端末、無線通信システム、無線通信方法および無線通信プログラムを、好適な実施の形態に基づいて詳述した。しかし、斯かる実施の形態は、本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。例えば、本発明の実施態様は、課題を解決するための手段における構成（１）及び（７）に加え、次のような構成として表現できる。下記（２）−（６）及び（８）なる番号は、請求項の項番号にそれぞれ対応している。
（２）前記アンテナは、前記回動機構とは反対方向であるアンテナの端部に突起部を有するものであって、
前記アンテナ固定部は、前記突起部を嵌め込むことにより、前記アンテナを固定する上記（１）の無線通信端末。
（３）前記アンテナ固定部は、凹型であって、前記突起部を嵌め込むことにより、前記アンテナを固定する上記（２）の無線通信端末。
（４）前記判別部は、前記アンテナ固定部に、前記アンテナが固定された状態であるか否かを判別するものであり、
前記通信決定部は、前記判別部が固定された状態であるとの結果により、前記インターネットを切断するものである上記（２）または（３）の無線通信端末。
（５）前記判別部は、前記アンテナ固定部に、前記アンテナが固定された状態であるか否かを判別するものであり、
前記通信決定部は、前記判別部が完全に固定された状態で無いとの結果により、前記インターネットを接続開始または通信継続する上記（２）または（３）の無線通信端末。
（６）上記（１）乃至（５）のいずれかの無線通信端末と、
無線通信端末の前記通信決定部により決定されたインターネットを接続する、または切断するかの情報を受信することにより、画面上にインターネットを接続する、または切断する旨を表示する携帯端末装置とから構成される無線通信システム。
（８）携帯端末装置に対して着脱可能とする無線通信を行うための無線通信端末の無線通信プログラムにおいて、
回動機構を有する回動可能なアンテナと、該アンテナを固定可能なアンテナ固定部を備える前記無線通信端末に、
前記アンテナ固定部がアンテナを固定しているか否かを判別する機能と、
前記判別された判別結果に応じて、前記無線通信のうちインターネットを接続する、または切断するかを決定する機能を実現させる無線通信プログラム。
【符号の説明】
【００３７】
１０１  携帯端末装置
１０２  無線通信端末
１０３  アンテナ
１０４  アンテナ固定部
１０５  突起部
２０１  送信部
２０２  アンテナスイッチ
２０３  制御部
２０４  無線部
２０５  判別部
２０６  通信決定部
【図１】
2011010099.tif 000003
【図２】
2011010099.tif 000004
【図３】
2011010099.tif 000005
【図４】
2011010099.tif 000006
【図５】
2011010099.tif 000007